(57)【要約】【課題】本発明は、毎回異なる操作を要するキーロック解除方法を提供することを目的とする。【解決手段】電気機器の操作部に、複数個の操作スイッチ２ａと、操作誘導手段５ａを有し、キーロック解除時には毎回異なる操作を要することを特徴としたキーロック解除方法であって、キーロック中に操作スイッチ２ａを押すことで、操作誘導手段５ａがキーロック解除操作を示し、その解除操作と合致した操作入力がされた場合のみキーロックを解除することができ、電気機器の意図としない動作を防ぐと共に、操作に思考を必要とするため、慢性からくる定常操作によるキーロック解除操作を抑制することができる。【選択図】図１
2012090830.tif 000002
【特許請求の範囲】
【請求項１】
電気機器の操作部に、複数個の操作スイッチと、操作誘導手段を有し、キーロック解除時には毎回異なる操作を要することを特徴としたキーロック解除方法。
【請求項２】
操作誘導手段を表示手段とすることを特徴とした請求項１記載のキーロック解除方法。
【請求項３】
表示手段をＬＥＤとすることを特徴とした請求項２記載のキーロック解除方法。
【請求項４】
表示手段をＬＣＤとすることを特徴とした請求項２記載のキーロック解除方法。
【請求項５】
キーロック解除方法を問題形式とすることを特徴とした請求項４記載のキーロック解除方法。
【請求項６】
操作誘導手段を音声手段とすることを特徴とした請求項１記載のキーロック解除方法。
【請求項７】
キーロック状態を表示するキーロック表示を有することを特徴とした請求項１記載のキーロック解除方法。
【請求項８】
キーロック解除操作に時間制限を設けたことを特徴とした請求項１記載のキーロック解除方法。
【発明の詳細な説明】
【技術分野】
【０００１】
本発明は、電気機器の操作部に用いられたキーロック（操作無効）の解除方法に関するものである。
【背景技術】
【０００２】
従来、この種の操作部キーロックとしては、機器にチャイルドロックスイッチと、ＬＥＤ表示灯と、警告ブザーを有し、チャイルドロックスイッチを所定の時間連続押し（例えば約３秒）することで操作ボタンを無効にするキーロック状態とし、このキーロック状態のときにチャイルドロックスイッチを所定の時間連続押し（例えば約３秒）することで通常モードへと戻る。
【０００３】
また、キーロック状態中に何かの操作スイッチを押されると、警告ブザーによる音と、ＬＥＤ表示灯による点滅表示でキーロック中であることを伝え、意図としない機器の動作を防ぐものがある（例えば、特許文献１参照）。
【０００４】
また、別の操作部キーロックとしては、所定の操作スイッチを特定パターンで押すことにより、キーロック状態とし、このキーロック状態のときに所定の操作スイッチを特定パターンで押すことによりキーロックを解除するものがあり、ここで言う特定パターンとは、複数の異なる操作スイッチを同時もしくは順次押すことを言う［多重押し］と、１個の操作スイッチを所定の時間（例えば２秒間）連続的に押す、または、複数の異なる操作スイッチを同時もしくは順次所定の時間ずつ連続的に押すことを言う［連続押し］のことを言い、キーロック開始、解除の操作を複雑にすることで、意図としない機器の動作を防ぐことを強化したものがある（例えば、特許文献２参照）。
【先行技術文献】
【特許文献】
【０００５】
【特許文献１】特開２００１−９９４８９号公報
【特許文献２】特開２００２−２７３０９１号公報
【発明の概要】
【発明が解決しようとする課題】
【０００６】
このような従来のキーロック方法は、キーロックを電気機器の意図としない動作を防ぐ目的で使用されているため、単純な操作スイッチ入力を無効とするための［連続押し］や、決められたパターン操作を用いた［多重押し］にてキーロック開始、解除をしている。
【０００７】
［連続押し］に関しては、所定の操作スイッチの上に荷物などを置いたり、機器に寄り掛かったりすることで、意図と反してキーロックが開始、解除されてしまうという課題がある。
【０００８】
また、［多重押し］に関しては、操作を複雑化しているものの、キーロック開始、解除に用いる操作が固定されているため、数回使用し操作に慣れてしまうと、特別操作の効果が薄まり、定常操作として無意識に操作スイッチを操作してしまい、意図と反してキーロックが開始、解除されてしまうという課題がある。
【０００９】
そこで本発明は、上記課題を解決するため、毎回異なる操作を要するキーロック解除方法を提供することを目的としている。
【課題を解決するための手段】
【００１０】
そして、この目的を達成するために、本発明のキーロック解除方法は、電気機器の操作部に、複数個の操作スイッチと、操作誘導手段を有し、キーロック解除時には毎回異なる操作を要することを特徴としたものであり、これにより所期の目的を達成するものである。
【発明の効果】
【００１１】
本発明のキーロック解除方法によれば、電気機器の操作部に、複数個の操作スイッチと、操作誘導手段を有し、キーロック解除時には毎回異なる操作を要することを特徴とし、キーロック中に操作スイッチを押すことで、操作誘導手段がキーロック解除操作を示し、その解除操作と合致した操作入力がされた場合のみキーロックを解除するようにしたことで、電気機器の意図としない動作を防ぐと共に、操作に思考を必要とするため、慢性からくる定常操作によるキーロック解除操作を抑制することができるという効果を得ることができる。
【図面の簡単な説明】
【００１２】
【図１】本発明の実施の形態１のキーロック解除方法を示す電気機器の斜視図
【図２】同キーロック解除方法を示す操作部の上方図
【図３】同キーロック解除方法を示すフローチャート
【図４】同キーロック解除方法の一例を示すパターン図
【図５】本発明の実施の形態２のキーロック解除方法を示す電気機器の斜視図
【図６】同キーロック解除方法を示す表示部の表示例その１を示す図
【図７】同キーロック解除方法を示す表示部の表示例その２を示す図
【図８】同キーロック解除方法を示す表示部の表示例その３を示す図（（ａ）一般常識問題と回答の選択肢の表示例を示す図、（ｂ）計算をキーロック解除の操作とした表示例を示す図）
【図９】本発明の実施の形態３のキーロック解除方法を示す電気機器の斜視図
【発明を実施するための形態】
【００１３】
本発明の請求項１記載のキーロック解除方法は、電気機器の操作部に、複数個の操作スイッチと、操作誘導手段を有し、キーロック解除時には毎回異なる操作を要することを特徴としたキーロック解除方法であって、キーロック中に操作スイッチを押すことで、操作誘導手段がキーロック解除操作を示し、その解除操作と合致した操作入力がされた場合のみキーロックを解除することができ、電気機器の意図としない動作を防ぐと共に、操作に思考を必要とするため、慢性からくる定常操作によるキーロック解除操作を抑制することができるという効果を奏する。
【００１４】
また、請求項２記載のキーロック解除方法は、操作誘導手段を表示手段とする構成にしてもよい。
【００１５】
これにより、キーロック解除操作を表示し、視覚にて伝達することができ、視覚により得られたキーロック解除操作を実施しない限り、キーロックは継続され、電気機器の意図としない動作を防ぐと共に、操作に思考を必要とするため、慢性からくる定常操作によるキーロック解除操作を抑制することができるという効果を奏する。
【００１６】
また、請求項３記載のキーロック解除方法は、表示手段をＬＥＤとする構成にしてもよい。
【００１７】
これにより、ＬＥＤの光で操作する操作スイッチを指示し、キーロック解除操作を示すことができ、簡易な構成でキーロック解除方法を表示することができ、視覚により得られたキーロック解除操作を実施しない限り、キーロックは継続され、電気機器の意図としない動作を防ぐと共に、操作に思考を必要とするため、慢性からくる定常操作によるキーロック解除操作を抑制することができるという効果を奏する。
【００１８】
また、請求項４記載のキーロック解除方法は、表示手段をＬＣＤとする構成にしてもよい。
【００１９】
これにより、ＬＣＤにキーロック解除操作を示すことができ、キーロック解除方法を文字や図形などで表示することができ、視覚により得られたキーロック解除操作を実施しない限り、キーロックは継続され、電気機器の意図としない動作を防ぐと共に、操作に思考を必要とするため、慢性からくる定常操作によるキーロック解除操作を抑制することができるという効果を奏する。
【００２０】
また、請求項５記載のキーロック解除方法は、キーロック解除方法を問題形式とすることにしてもよい。
【００２１】
これにより、ＬＣＤに計算や一般常識を代表とする問題を表示し、回答を操作スイッチにより選択する操作方法とし、問題に正解するとキーロックを解除することができ、電気機器の意図としない動作を防ぐと共に、操作に思考を必要とするため、慢性からくる定常操作によるキーロック解除操作を抑制することができ、遊具感覚で楽しむことができるという効果を奏する。
【００２２】
また、請求項６記載のキーロック解除方法は、操作誘導手段を音声手段とする構成にしてもよい。
【００２３】
これにより、キーロック解除操作を音声案内し、聴覚にて伝達することができ、聴覚により得られたキーロック解除操作を実施しない限り、キーロックは継続され、電気機器の意図としない動作を防ぐと共に、操作に思考を必要とするため、慢性からくる定常操作によるキーロック解除操作を抑制することができるという効果を奏する。
【００２４】
また、請求項７記載のキーロック解除方法は、キーロック状態を表示するキーロック表示を有した構成にしてもよい。
【００２５】
これにより、現在のキーロック状態を示すことができ、使用者がキーロック表示を確認することで、電気機器がキーロック中か否かを知ることができるという効果を奏する。
【００２６】
また、請求項８記載のキーロック解除方法は、キーロック解除操作に時間制限を設けた構成にしてもよい。
【００２７】
これにより、キーロック解除操作より時間をカウントし、所定の時間（例えば１０秒）経過すると、元のキーロック状態に戻すことができ、意図としないキーロック解除や誤操作を無効として電気機器のキーロック状態を保持することができるという効果を奏する。
【００２８】
以下、本発明の実施の形態について図面を参照しながら説明する。
【００２９】
（実施の形態１）
本発明の実施の形態１のキーロック解除方法を図１から図４を参照しながら説明する。
【００３０】
図１は本発明のキーロック解除方法を電気機器に搭載した一例を示すものであり、図２は、操作部Ａの詳細を示すものであり、図３は本発明の制御方法の一例を示すものであり、図４は本発明のキーロック解除パターンを示すものである。
【００３１】
図１および図２に示すように、電気機器１の上部に運転／停止スイッチ２とモードスイッチ３を有した操作部Ａ４を設け、この操作部Ａ４には、運転／停止スイッチ２の直近に配したＬＥＤＡ５と、モードスイッチ３の直近に配したＬＥＤＢ６からなる表示手段を用いた操作誘導手段と、キーロック状態のときに点灯し、キーロック解除のときに消灯するキーロック表示７を有し、運転／停止スイッチ２とモードスイッチ３の入力を受信し、ＬＥＤＡ５、ＬＥＤＢ６とキーロック表示７を点灯、消灯させるため電気的な接続が施された制御手段８を備えている。
【００３２】
図４に示すように、制御手段８には予め複数のキーロック解除パターンが用意されており、その中から毎回キーロック解除パターンを選択する。
【００３３】
キーロック解除のパターン選択条件としては、前回のキーロック解除パターンは選択しない条件（前回データの存在しない初回はパターン（１）とする）としており、キーロック解除操作が毎回異なる操作となるようにしている。
【００３４】
図３に示すように、キーロック解除処理としては、運転／停止スイッチ２か、モードスイッチ３いずれかのスイッチ入力を受け付けると、キーロック解除への処理を開始する。
【００３５】
一例として、前回のキーロック解除パターンが（６）、今回はキーロック解除パターン（１）が選択されたことを想定し以降説明する。
【００３６】
先ず、キーロック解除の操作時間を制限するタイマー（ｔ：例えば１０秒）のカウントをスタートさせ、次にキーロック解除パターンを前述した条件に則り選択（今回はパターン（１）が選択されたとする）すると、ｓｔｅｐ１の動作として、ＬＥＤＡ５が点灯する。
【００３７】
ＬＥＤＡ５は、運転／停止スイッチ２の直近に配されているので、運転／停止スイッチ２を押すことを使用者へ伝えることができる。
【００３８】
次に運転／停止スイッチ２が押されると、ＬＥＤＡ５が消灯すると共に、ｓｔｅｐ２の動作として、ＬＥＤＢ６が点灯し、モードスイッチ３を押すことを使用者へ伝える。
【００３９】
更に、モードスイッチ３が押されると、ＬＥＤＢ６を消灯し、キーロックを解除する。
【００４０】
また、その際キーロック表示７を消灯することで、キーロックが解除されたことを使用者に伝える。
【００４１】
その後、電気機器１が運転されるとキーロック解除を継続し、電気機器１の停止と共にキーロック状態となる。
【００４２】
また、電気機器１の運転中、すなわちキーロック解除中は、運転／停止スイッチ２、モードスイッチ３はワンプッシュで反応するように動作することで操作性を損なわず、ＬＥＤＡ５は運転を示す表示、ＬＥＤＢ６はモードを示す表示として用いても良い。
【００４３】
また、キーロック解除の操作中にタイマー（ｔ）がカウントアップすると、キーロックが継続される。
【００４４】
また、ｓｔｅｐ１とｓｔｅｐ２で構成されるキーロック解除パターン（１）を例に説明したが、パターン（３）、（４）、（５）、（６）が選択された場合は、ｓｔｅｐ３までキーロック解除操作は継続する。
【００４５】
その際の処理としては、図３に示すＡフローが１ｓｔｅｐの処理の括りとしてモジュール化されているので、必要なｓｔｅｐ数に合せて繰り返すことで対応ができる。
【００４６】
また、今回の一例では３ｓｔｅｐまでの解除パターンとしているが、このｓｔｅｐ数は増加しても良い。
【００４７】
上記構成により、キーロック表示７にて現在のキーロック状態を表示することで、使用者はキーロック状態を判断でき、キーロック中に操作スイッチを押すことで、キーロック解除操作を操作誘導手段としてＬＥＤの光により視覚にて伝達、操作する操作スイッチを指示することでキーロック解除操作を示すことができ、その解除操作と合致した操作入力がされた場合のみキーロックを解除することができるため、簡易な構成ながら、キーロック解除方法を誘導表示することができ、電気機器１の意図としない動作を防ぐと共に、操作に思考を必要とするため、慢性からくる定常操作によるキーロック解除操作を抑制することができる。
【００４８】
また、キーロック解除操作より時間をタイマー（ｔ）カウントし、所定の時間経過すると、キーロック状態に戻すことができるようにしたので、意図としないキーロック解除や誤操作を無効として電気機器１のキーロック状態を保持することができる。
【００４９】
また、タイマー（ｔ）はキーロック解除に関わる一連の操作を実施するのに十分な時間を確保しておけば良く、数秒〜数十秒に設定するのが望ましい。
【００５０】
なお、キーロック表示７は、キーロック状態を表示できれば良く、ＬＥＤやネオンランプなどを用いた方式がある。
【００５１】
（実施の形態２）
本発明の実施の形態２のキーロック解除方法を図５から図８を参照しながら説明する。
【００５２】
図５は本発明のキーロック解除方法を電気機器に搭載した一例を示すものであり、図６は、表示部の表示例その１を示すものであり、図７は、表示部の表示例その２を示すものであり、図８は表示部の表示例その３を示すものである。
【００５３】
なお、実施の形態２の説明において既に実施の形態１で説明した同一部品については同一符号を付与し説明を省略する。
【００５４】
図５に示すように、電気機器９の上部に運転／停止スイッチ２とモードスイッチ３を有した表示部１０を設け、この表示部１０には、ＬＣＤ１１からなる表示手段を用いた操作誘導手段を備えた構成としている。
【００５５】
図６に示すように、表示部１０に配したＬＣＤ１１は、キーロック解除パターンに則したキーロック解除操作を、文字にて表示することができ、その解除操作と合致した操作入力がされた場合のみキーロックを解除することができる。
【００５６】
また、図７に示すように、ＬＣＤ１１の他の表示例としては、操作スイッチを模写した図形を表示し、キーロック解除パターンに則したキーロック解除操作を表示することができ、その解除操作と合致した操作入力がされた場合のみキーロックを解除することができる。
【００５７】
上記構成により、キーロック解除方法を文字や図形などで表示誘導することができ、視覚により得られたキーロック解除操作を実施しない限り、キーロックは継続され、電気機器９の意図としない動作を防ぐと共に、操作に思考を必要とするため、慢性からくる定常操作によるキーロック解除操作を抑制することができる。
【００５８】
また、文字でキーロック解除方法を表示することは、より具体的、明確に操作方法を示すことができ、誤解を生じ難くする効果が得られ、また、図形でキーロック解除操作を表示することは、外国人など文字が読めなくても解除操作方法を伝達し易いという効果が得られる。
【００５９】
また、図８に示すように、ＬＣＤ１１の他の表示例として、キーロック解除方法を問題形式としたものである。
【００６０】
操作の一例としてｓｔｅｐ１は、図８（ａ）に示す一般常識問題と回答の選択肢を表示し、表示に則り、使用者は正解と判断した方のスイッチ（運転／停止スイッチ２かモードスイッチ３）を押す。
【００６１】
この選択が正しければ、ｓｔｅｐ２として図８（ｂ）の表示に移行する。
【００６２】
選択が間違っていれば、キーロック状態（無表示）へと戻り、再度操作スイッチの入力を待つ状態とする。
【００６３】
図８（ｂ）に示すのは、計算をキーロック解除の操作としたもので、問題と回答の選択肢を表示し、表示に則り、使用者は正解と判断した方のスイッチ（運転／停止スイッチ２かモードスイッチ３）を押す。
【００６４】
このように、ＬＣＤ１１に一般常識や計算を代表とする問題を表示し、回答を操作スイッチにより選択する操作方法とし、問題に正解するとキーロックを解除することができるようにしたことにより、電気機器９の意図としない動作を防ぐと共に、操作に思考を必要とするため、慢性からくる定常操作によるキーロック解除操作を抑制することができ、遊具感覚で楽しむことができる。
【００６５】
なお、ＬＣＤ１１は、キーロック解除操作の表示指示ができればよく、液晶方式や自己発光型の表示方式（例えば有機ＥＬやドット方式の蛍光管など）でもよい。
【００６６】
（実施の形態３）
本発明の実施の形態３のキーロック解除方法を図９を参照しながら説明する。
【００６７】
図９は本発明のキーロック解除方法を電気機器に搭載した一例を示すものである。
【００６８】
なお、実施の形態３の説明において既に実施の形態１および実施の形態２で説明した同一部品については同一符号を付与し説明を省略する。
【００６９】
図９に示すように、電気機器１２の上部に運転／停止スイッチ２とモードスイッチ３を有した操作部Ｂ１３を設け、この操作部Ｂ１３には、運転／停止スイッチ２の直近に配したＬＥＤＡ５と、モードスイッチ３の直近に配したＬＥＤＢ６と、スピーカ１４からなる音声手段を用いた操作誘導手段と、キーロック表示７を有した構成としている。
【００７０】
上記構成により、キーロック解除操作をスピーカ１４を用いて音声案内し、聴覚にて伝達することができ、聴覚により得られたキーロック解除操作を実施しない限り、キーロックは継続され、電気機器の意図としない動作を防ぐと共に、操作に思考を必要とするため、慢性からくる定常操作によるキーロック解除操作を抑制することができる。
【産業上の利用可能性】
【００７１】
本発明のキーロック解除方法は、家電製品を主体に利用されているチャイルドロックへの利用の他に、安全性を重視する産業機器においても適用できる。
【符号の説明】
【００７２】
１    電気機器
２    運転／停止スイッチ
３    モードスイッチ
４    操作部Ａ
５    ＬＥＤＡ
６    ＬＥＤＢ
７    キーロック表示
８    制御手段
９    電気機器
１０  表示部
１１  ＬＣＤ
１２  電気機器
１３  操作部Ｂ
１４  スピーカ
【図１】
2012090830.tif 000003
【図２】
2012090830.tif 000004
【図３】
2012090830.tif 000005
【図４】
2012090830.tif 000006
【図５】
2012090830.tif 000007
【図６】
2012090830.tif 000008
【図７】
2012090830.tif 000009
【図８】
2012090830.tif 000010
【図９】
2012090830.tif 000011